(57)【要約】【課題】この発明はデータ伝送方法、データ受信方法、データ伝送システム、送信機及び受信機において、周波数選択性フェージングが発生する伝送路においても、良好なレベル制御（ＡＧＣ）、適切なレベル検出を実現し、良好な通信を可能にする。【解決手段】送信側では、送信データに制御データを付加し、所定の変調方式で変調して送信信号として送信し、受信側では、送信信号中の制御データを用いて受信電力強度を検出するデータ伝送システムにおいて、制御データ中で受信電力強度を検出する受信電力検出区間に、ランダムパターンを用いるようにした。【選択図】        図１
2005130522.tif 000002
【特許請求の範囲】
【請求項１】
送信側では、送信データに制御データを付加し、所定の変調方式で変調して送信信号として送信し、受信側では、上記送信信号中の上記制御データを用いて受信信号強度を検出するデータ伝送システムにおけるデータ伝送方法であり、
上記受信電力強度を検出するための受信電力検出区間を上記送信データの前に配置し、かつ当該受信電力検出区間に広帯域スペクトル信号を用い、
さらに、上記送信データを１バースト毎に伝送する際に、１又は複数の送信データ毎に１バーストの上記広帯域スペクトル信号を付加することを特徴とするデータ伝送方法。
【請求項２】
送信側で送信データに制御データを付加し、所定の変調方式で変調して送信信号として送信し、受信側で上記送信信号中の上記制御データを用いて受信信号強度を検出するデータ伝送システムで用いられる送信機におけるデータ伝送方法であり、
上記受信電力強度を検出するための受信電力検出期間を上記送信データの前に配置し、かつ当該受信電力区間に広帯域スペクトル信号を付加し、
さらに、上記送信データを１バースト毎に伝送する際に、１又は複数の送信データ毎に１バーストの上記広帯域スペクトル信号を付加することを特徴とするデータ伝送方法。
【請求項３】
上記広帯域スペクトル信号として、該当するシステムの伝搬路モデルで想定される伝送路の遅延波の最大遅延時間以上の周期を有する信号を用いることを特徴とする請求項１または２に記載のデータ伝送方法。
【請求項４】
送信側で送信データに制御データを付加し、所定の変調方式で変調して送信信号として送信し、受信側で上記送信信号中の上記制御データを用いて受信信号強度を検出するデータ伝送システムで用いられる受信機におけるデータ受信方法であり、
上記送信側にて、上記受信電力強度を検出するための受信電力検出区間が上記送信データの前に配置され、かつ当該受信電力検出区間に広帯域スペクトル信号が付加される場合、
上記受信電力検出期間で受信電力強度を検出し、該受信電力強度を利用して上記受信電力検出期間で受信信号の利得制御を収束させ、後続する送信データの受信電力を基準値付近に調整することを特徴とするデータ受信方法。
【請求項５】
上記広帯域スペクトル信号として、該当するシステムの伝搬路モデルで想定される伝送路の遅延波の最大遅延時間以上の周期を有する信号を用いることを特徴とする請求項４に記載のデータ受信方法。
【請求項６】
送信側では、送信データに制御データを付加し、所定の変調方式で変調して送信信号として送信し、受信側では、上記送信信号中の上記制御データを用いて受信信号強度を検出するデータ伝送システムにおいて、
上記受信電力強度を検出するための受信電力検出区間を上記送信データの前に配置し、かつ当該受信電力検出区間に広帯域スペクトル信号を用い、
さらに、上記送信データを１バースト毎に伝送する際に、１又は複数の送信データ毎に１バーストの上記広帯域スペクトル信号を付加することを特徴とするデータ伝送システム。
【請求項７】
上記広帯域スペクトル信号として、該当するシステムの伝搬路モデルで想定される伝送路の遅延波の最大遅延時間以上の周期を有する信号を用いることを特徴とする請求項６に記載のデータ伝送システム。
【請求項８】
送信側で送信データに制御データを付加し、所定の変調方式で変調して送信信号として送信し、受信側で上記送信信号中の上記制御データを用いて受信信号強度を検出するデータ伝送システムにおける送信機であり、
上記受信電力強度を検出するための受信電力検出期間を上記送信データの前に配置し、かつ当該受信電力区間に広帯域スペクトル信号を付加し、
さらに、上記送信データを１バースト毎に伝送する際に、１又は複数の送信データ毎に１バーストの上記広帯域スペクトル信号を付加することを特徴とする送信機。
【請求項９】
上記広帯域スペクトル信号として、該当するシステムの伝搬路モデルで想定される伝送路の遅延波の最大遅延時間以上の周期を有する信号を用いることを特徴とする請求項８に記載の送信機。
【請求項１０】
送信側で送信データに制御データを付加し、所定の変調方式で変調して送信信号として送信し、受信側で上記送信信号中の上記制御データを用いて受信信号強度を検出するデータ伝送システムで用いられる受信機であり、
上記送信側にて、上記受信電力強度を検出するための受信電力検出区間が上記送信データの前に配置され、かつ当該受信電力検出区間に広帯域スペクトル信号が付加される場合、
上記受信電力検出期間で受信電力強度を検出し、該受信電力強度を利用して上記受信電力検出期間で受信信号の利得制御を収束させ、後続する送信データの受信電力を基準値付近に調整することを特徴とする受信機。
【請求項１１】
上記広帯域スペクトル信号として、該当するシステムの伝搬路モデルで想定される伝送路の遅延波の最大遅延時間以上の周期を有する信号を用いることを特徴とする請求項１０に記載の受信機。
【発明の詳細な説明】
【技術分野】
【０００１】
この発明は、移動体通信／移動体衛星通信に用いられる通信システムとしてのデータ伝送方法、データ受信方法、データ伝送システム、送信機及び受信機に関するものである。
【背景技術】
【０００２】
移動体通信では、距離偏差、シャドーイング、フェージング等の影響により受信レベルが大きく変動する（数十dB以上）。この対策の一つにＡＧＣ（Automatic  Gain  Control）を用いて、レベル補正を行う方法がある。図８は無線通信システムの全体の構成を示し、図９及び図１０は従来の移動体無線通信システムの送信機及び受信機を示すものであり、例えば、下記非特許文献１あるいは下記非特許文献２において示されている。
【０００３】
図８において、１は送信データＳ１を無線信号に変換する送信機であり、２は無線信号を通す伝送路であり、３は受信信号Ｓ３から受信データＳ４を取り出す受信機である。また図９において、１１は送信データＳ１やプリアンブル（ＡＬＬ０のような繰り返しパターン）付加部１２からの情報Ｓ１１等を用いて、送信用バーストＳ１２を生成するバースト生成部、１３は送信用バーストＳ１２を変調する変調部、１４は変調された信号Ｓ１３を飛ばすアンテナである。さらに図１０において、３１はアンテナであり、３２は低雑音増幅部（ＬＮＡ：Low  Noise  Amp）、３３は増幅された信号Ｓ３１の周波数を変換するＲ／Ｆ・Ｉ／Ｆ部、３４は低周波信号Ｓ３２のレベル(強度)を一定にするＡＧＣ部、３５はＡＧＣ出力Ｓ３３を復調する復調部、３５は復調された信号Ｓ３４から受信データＳ４を取り出す受信制御部である。このような従来の無線通信システムでは、ＡＧＣ用のプリアンブルパターンとしてＡＬＬ０のような繰り返しパターンを採用している。
【０００４】
次に下記非特許文献１を例にとり、移動機（ＭＳ：Mobile  Station）から基地局 (ＢＭＩ：Base  station  ,MSC  and  Interworking  Function）へ信号を送る動作を説明する。移動機ＭＳは送信すべきデータ（ＤＡＴＡ、誤り訂正符号化済み）に対し、バースト生成部１１でランプ（Ｒ）、同期語（ＳＹＮＣ：Synchronization,ＳＹＮＣ＋：Additional  Synchronization）用ビットと共に、ＡＧＣ用プリアンブル（ＰＲＥＡＭ：Preamble）を付加し送信用バーストを構成する。図１１にバーストの構成を示す。下記非特許文献１においては、プリアンブルパターンとして、送信データが“１”、“０”の繰り返しであるπ／４シフト変調が８シンボル分付加されている。
【０００５】
図１２にプリアンブル内の各シンボルの位相状態を示す。この場合、プリアンブル部分は一定の包絡線レベルになる。バースト生成部１１から出力された信号Ｓ１２は、変調部１３によって変調され、増幅された後アンテナ１４から放射される。伝送路２を通過する際に、無線信号はフェージング（レイリーフェージング、周波数選択性フェージング等）の影響を受け波形は大きく歪まされる。加えて、基地局ＢＭＩ−移動機ＭＳ間距離、シャドーイング、そしてフェージングにより受信レベルは大きく変動する。基地局ＢＭＩのアンテナで受信された信号はＬＮＡ３２により増幅され、Ｒ／Ｆ・Ｉ／Ｆ部３３によって低い周波数に変換される。復調部３５の入力部にはＡ／Ｄコンバータ等があり、入力信号はある範囲内のレベルに収まっている必要がある。しかし、Ｒ／Ｆ・Ｉ／Ｆ部３３の出力は大きなレベル偏差を含んでいるため、復調部３５へ入力される前にＡＧＣ部３４によりレベル補正を受け、一定レベルに調整される。この信号Ｓ３４は復調部３５により復調された後、受信制御部３６でバーストからデータ部分が取り出され、エラー訂正などの処理を行った後、受信データＳ３４として出力される。
【０００６】
レベル補正を行うＡＧＣ部３４の動作を説明する。図１３はＡＧＣ３４の基本的な構成を示したものである。大きなレベル偏差を含むＡＧＣ部３４への入力信号（低周波信号）Ｓ３２は、ＡＧＣアンプ４１により増幅あるいは減衰されてＡＧＣ出力Ｓ３３となる。ＡＧＣ出力Ｓ３３は、同時にレベル検出部４２に入力され、予め定められた基準値と比較され、基準値とＡＧＣ出力Ｓ３３との差を表す信号が出力される。この信号はローパスフィルタ（ＬＰＦ：Low  Pass  Filter）４３によって、細かな変動を取り除かれた後、ＡＧＣアンプ４１の増幅比を決定するＡＧＣアンプ制御電圧（ＲＳＳＩ：Received  Signal  Strength  Indicator）Ｓ４０となって、ＡＧＣ出力が基準値に近づくようにＡＧＣアンプ４１を制御する。ＡＧＣ部３４では、以上のような動作を行うため、ＡＧＣ出力Ｓ３３が安定するまでに、ＡＧＣアンプ４１、レベル検出部４２、ＬＰＦ４３から構成される閉ループが収束するための一定時間が必要となる。下記非特許文献１では、図１４に示すように、バーストの先頭付近にあるプリアンブル部分で、ＡＧＣを収束させ後ろに続くＳＹＮＣやＤＡＴＡ部分のＡＧＣ出力レベル（復調機入力レベル）を所望の範囲内に納めることで、良好な復調を可能としている。
【０００７】
【非特許文献１】“TIA/EIA/IS-136.1-A”（TIA/EIA）INTERIM  STANDARD：TDMA  Cellular/PCS-Radio  Interface-Mobile  Station-Base  Station-Compatibility-Digital  Control  Cannel）
【非特許文献２】“RCR  STD-32”
【発明の開示】
【発明が解決しようとする課題】
【０００８】
以上のように固定の繰り返しパターンをＡＧＣ用プリアンブルに採用した場合、周波数選択性フェージングが発生する伝送路では、ＡＧＣが良好に動作しない問題がある。これは特にフェージングの速度に対し、シンボルレートが速く、プリアンブル中でフェージングの状態が変化しない場合に顕著になる。周波数選択性フェージングについて説明する。周波数選択性フェージングは、図１５に示すように遠くの建物、山等で反射した遅延波の遅延量がシンボル周期と比較して無視できない場合に生じる。
【０００９】
例えば、１／10シンボル程度以上の遅延量がある場合を選択性フェージングとしているものもある。この時、図１６に示すように、何も対策を行わない場合、先行波と遅延波の干渉により受信信号の判定に誤りが生じる。また、先行波と遅延波の合成波の信号スペクトルは図１７に示すように、送信信号のスペクトルが大きく歪んだものとなるため、“周波数選択性フェージング”の名称の由来となっている。以上の説明からも明らかなように、周波数選択性フェージングは、同一の伝送路上では情報速度が速いほど、すなわちシンボルレートが大きいほど発生しやすくなる。
【００１０】
ＡＧＣ用プリアンブルパターンとして単純な固定パターンの繰り返しを採用するシステムにおいて、伝送路で周波数選択性フェージングが発生する場合、先行波と遅延波の位相関係により、プリアンブル部分の平均受信電力が大きく変動する。図１８は先行波と遅延波の位相関係、およびそのときの合成波を示すもので、時刻１、２、３は連続する３シンボルを表す。プリアンブルパターンが固定パターンの繰り返しの場合、先行波と遅延波の位相関係は一定で、フェージング速度に対し伝送速度が十分大きければ、プリアンブル受信中同一の関係を保つと考えられる。図１８では、先行波と遅延波が打ち消し合う場合（(1)（2）(3)）、あまり互いに影響を与えない場合（(4)(5)(6)）、強め合う場合（(7)(8)(9)）の例を示したが、位相関係は遅延波の遅延量で決定されるため、移動機ＭＳの移動と共に時々刻々ランダムに変化する。このため、平均受信電力はその時々により大きく変動する。
【００１１】
一方、ランダムパターンを受信した場合（データ部分はスクランブル等によってほぼランダムなパターンになると考えられる）、先行波と遅延波の位相関係は同一バースト内でも変化する。このため、図１９に示すように、同一バースト内で先行波と遅延波が強め合う場合、打ち消し合う場合がランダムに発生し、バースト全体を平均すれば一定の受信電力が得られる。
【００１２】
従って前述のようにプリアンブル部分でＡＧＣを収束させ、その後のデータ部分のＡＧＣ出力を一定にするようなシステムでは、プリアンブル部分の受信電力とデータ部分の受信電力に大きな差が表れるため、良好な復調がなされない。この時ＡＧＣが動作するようすを図２０に示す。プリアンブル部分と後続のデータ部分（ＳＹＮＣを含む）で受信電力に大きな差がある場合、プリアンブルでＡＧＣが収束（(1)）していても、データ部分で適切な出力レベルは得られない。ＡＧＣが基準値近傍の信号を出力するまでには、再度ＡＧＣが収束（(3)）する必要があり、その間（(2)）のデータは適当な復調が不可能となる。
【００１３】
この発明は以上の問題を解消するためになされたもので、周波数選択性フェージングが発生する伝送路においても、良好なレベル制御（ＡＧＣ）、適切なレベル検出を実現し、良好な通信を可能にするデータ伝送方法、データ受信方法、データ伝送システム、送信機及び受信機を提供することを目的とする。
【課題を解決するための手段】
【００１４】
上述した課題を解決し、目的を達成するために、本発明にかかるデータ伝送方法にあっては、送信側が、送信データに制御データを付加し、所定の変調方式で変調して送信信号として送信し、受信側が、上記送信信号中の上記制御データを用いて受信信号強度を検出するデータ伝送システムにおけるデータ伝送方法であって、上記受信電力強度を検出するための受信電力検出区間を上記送信データの前に配置し、かつ当該受信電力検出区間に広帯域スペクトル信号を用い、さらに、上記送信データを１バースト毎に伝送する際に、１又は複数の送信データ毎に１バーストの上記広帯域スペクトル信号を付加することを特徴とする。
【００１５】
つぎの発明にかかるデータ伝送方法にあっては、送信側で送信データに制御データを付加し、所定の変調方式で変調して送信信号として送信し、受信側で上記送信信号中の上記制御データを用いて受信信号強度を検出するデータ伝送システムで用いられる送信機におけるデータ伝送方法であって、上記受信電力強度を検出するための受信電力検出期間を上記送信データの前に配置し、かつ当該受信電力区間に広帯域スペクトル信号を付加し、さらに、上記送信データを１バースト毎に伝送する際に、１又は複数の送信データ毎に１バーストの上記広帯域スペクトル信号を付加することを特徴とする。
【００１６】
つぎの発明にかかるデータ伝送方法にあっては、上記広帯域スペクトル信号として、該当するシステムの伝搬路モデルで想定される伝送路の遅延波の最大遅延時間以上の周期を有する信号を用いることを特徴とする。
【００１７】
つぎの発明にかかるデータ伝送方法にあっては、送信側で送信データに制御データを付加し、所定の変調方式で変調して送信信号として送信し、受信側で上記送信信号中の上記制御データを用いて受信信号強度を検出するデータ伝送システムで用いられる受信機におけるデータ受信方法であって、上記送信側にて、上記受信電力強度を検出するための受信電力検出区間が上記送信データの前に配置され、かつ当該受信電力検出区間に広帯域スペクトル信号が付加される場合、上記受信電力検出期間で受信電力強度を検出し、該受信電力強度を利用して上記受信電力検出期間で受信信号の利得制御を収束させ、後続する送信データの受信電力を基準値付近に調整することを特徴とする。
【００１８】
つぎの発明にかかるデータ伝送方法にあっては、上記広帯域スペクトル信号として、該当するシステムの伝搬路モデルで想定される伝送路の遅延波の最大遅延時間以上の周期を有する信号を用いることを特徴とする。
【００１９】
つぎの発明にかかるデータ伝送システムにあっては、送信側が、送信データに制御データを付加し、所定の変調方式で変調して送信信号として送信し、受信側が、上記送信信号中の上記制御データを用いて受信信号強度を検出するデータ伝送システムにおいて、上記受信電力強度を検出するための受信電力検出区間を上記送信データの前に配置し、かつ当該受信電力検出区間に広帯域スペクトル信号を用い、さらに、上記送信データを１バースト毎に伝送する際に、１又は複数の送信データ毎に１バーストの上記広帯域スペクトル信号を付加することを特徴とする。
【００２０】
つぎの発明にかかるデータ伝送システムにあっては、上記広帯域スペクトル信号として、該当するシステムの伝搬路モデルで想定される伝送路の遅延波の最大遅延時間以上の周期を有する信号を用いることを特徴とする。
【００２１】
つぎの発明にかかる送信機にあっては、送信側で送信データに制御データを付加し、所定の変調方式で変調して送信信号として送信し、受信側で上記送信信号中の上記制御データを用いて受信信号強度を検出するデータ伝送システムにおける送信機であって、上記受信電力強度を検出するための受信電力検出期間を上記送信データの前に配置し、かつ当該受信電力区間に広帯域スペクトル信号を付加し、さらに、上記送信データを１バースト毎に伝送する際に、１又は複数の送信データ毎に１バーストの上記広帯域スペクトル信号を付加することを特徴とする。
【００２２】
つぎの発明にかかる送信機にあっては、上記広帯域スペクトル信号として、該当するシステムの伝搬路モデルで想定される伝送路の遅延波の最大遅延時間以上の周期を有する信号を用いることを特徴とする。
【００２３】
つぎの発明にかかる受信機にあっては、送信側で送信データに制御データを付加し、所定の変調方式で変調して送信信号として送信し、受信側で上記送信信号中の上記制御データを用いて受信信号強度を検出するデータ伝送システムで用いられる受信機であって、上記送信側にて、上記受信電力強度を検出するための受信電力検出区間が上記送信データの前に配置され、かつ当該受信電力検出区間に広帯域スペクトル信号が付加される場合、上記受信電力検出期間で受信電力強度を検出し、該受信電力強度を利用して上記受信電力検出期間で受信信号の利得制御を収束させ、後続する送信データの受信電力を基準値付近に調整することを特徴とする。
【００２４】
つぎの発明にかかるデータ伝送方法にあっては、上記広帯域スペクトル信号として、該当するシステムの伝搬路モデルで想定される伝送路の遅延波の最大遅延時間以上の周期を有する信号を用いることを特徴とする。
【発明を実施するための最良の形態】
【００２５】
以下、図面を用いてこの発明の実施の形態を詳述する。
【００２６】
実施の形態１．
図９との対応部分に同一符号を付した図１は、この発明の実施の形態１である無線通信システムの送信機を示す。図において、１１は送信データＳ１やプリアンブル（ランダムパターン）付加部５１からの情報Ｓ５１等を用いて送信用バーストＳ５２を生成するバースト生成部、１３は送信用バーストＳ５２を変調する変調部、１４は変調された信号Ｓ５３を飛ばすアンテナである。無線通信システムの全体構成及び受信機の構成は、従来について上述した図８及び図１０と同様である。ただし、この実施の形態１の場合、図８の伝送路１２は周波数選択性フェージング伝送路とする。
【００２７】
この実施の形態１の動作の説明をする。送信側として送信すべきデータ（ＤＡＴＡ）に対し、バースト生成部１１ではランプ（Ｒ）、同期語（ＳＹＮＣ）用ビットなどと共に、ＡＧＣ用プリアンブル（ランダムパターン）を付加し、例えば図２に示す送信用バーストＳ５２を生成する。この送信用バーストＳ５２は変調部１３によって変調された後、アンテナ１４から発信される。送信側から発信された送信信号Ｓ２は、伝送路２内で周波数選択性フェージングを受け、受信側のアンテナ３１へ入力される。入力された信号は、ＬＮＡ３２によって増幅され、Ｒ／Ｆ・Ｉ／Ｆ部３３によって低周波数信号Ｓ３２に変換される。Ｒ／Ｆ・Ｉ／Ｆ部３３の出力は大きなレベル偏差を含むため、ＡＧＣ部３４によって電力レベルの調整を受けた後、復調部３５に入力され、このようにして受信データＳ４が取り出される。
【００２８】
図３はＱＰＳＫ変調された２波（先行波電力１、遅延波電力0.5）がランダムな位相差で干渉した場合の、受信電力の確率密度分布を示したものである。ランダムパターンとしてはＭ系列を採用した。図からわかるように、ランダムパターンを受信した場合の電力は、ほぼ一定値になるのに対し、ＡＬＬ０パターンを受信した場合には受信電力が大きな偏差を持ち、両者の間で大きな不一致が発生する確率が高い。
【００２９】
この実施の形態１によれば、プリアンブルにランダムパターンを採用することにより、プリアンブル部分とデータ部分で大きな受信電力レベルの差は発生せず、周波数選択性フェージングがかかった信号を受信した場合でも、ＡＧＣは図２に示すように、プリアンブル部分で適切な値に収束し（(1)）、後続するデータのレベルを基準値付近に調整することができる。
【００３０】
なおプリアンブル付加部５１で付加するランダムパターンとしては、Ｍ系列に限らず、伝送路の遅延波最大遅延ビット数以下の長さを１周期とする繰り返しパターンでなければ同様の効果が得られる。言い換えれば、プリアンブル部分の変調スペクトルが輝線スペクトルではなく、広いスペクトルを有するようなランダムパターンであれば同様の効果を得ることができる。
【００３１】
実施の形態２．
図１との対応部分に同一符号を付した図４は、この発明の実施の形態２である無線通信システムの送信機を示し、図１３との対応部分に同一符号を付した図５は、この発明の実施の形態２である無線通信システムの受信機内のＡＧＣの構成を示す。図４において、６０はデータ用バーストＳ６２を生成するデータ用バースト生成部である。また６１はＡＧＣ用ランダムパターンＳ６０を生成するランダムパターン生成部であり、６２はＡＧＣ用バーストＳ６１を生成するＡＧＣ用バースト生成部である。さらに６３は送信バーストを切り替えるスイッチであり、ＡＧＣ用バーストＳ６１とデータ用バーストＳ６２のどちらを送信するか決定する。一方図５において、７０はＬＰＦ４３の出力Ｓ４０をＡＧＣアンプ制御電圧Ｓ４０Ａとして記憶するメモリであり、７１はＬＰＦ４３の出力Ｓ４０をメモリ７０に送り込むかどうかを決定するスイッチである。なお、この実施の形態における無線通信システムの全体及び受信機の構成は、それぞれ従来について上述した図８、図１０と同様である。
【００３２】
この実施の形態２の動作を説明する。送信側ではランダムパターン生成部６１から出力されるＡＧＣ用ランダムパターンＳ６０を用いて、ＡＧＣ用バーストＳ６１をＡＧＣ用バースト生成部６２で生成する。また送信データＳ１を用いて、データ用バーストＳ６２をデータ用バースト生成部６０で生成する。これらのバーストを予め定められた手順に従ってスイッチ６３で選択し、変調部１３で変調した後アンテナ１４より送信する。送信信号Ｓ２は伝送路２でフェージングを受けた後、受信機３に入力され、増幅や周波数変換を行われ、ＡＧＣ入力信号Ｓ３２となる。
【００３３】
ＡＧＣ用バースト受信中は、ＡＧＣループ内のスイッチ７１はオンとなり、ＡＧＣ出力Ｓ３３が基準値になるようにＡＧＣアンプ制御電圧（ＲＳＳＩ）Ｓ４０、Ｓ４０Ａが収束する。その後、データ用バーストを受信する際にはスイッチ７１はオフとなり、ＡＧＣ用バースト受信時に収束しメモリ７０に記憶された値がＡＧＣアンプ制御電圧（ＲＳＳＩ）Ｓ４０Ａの値として用いられる。
【００３４】
この実施の形態２によれば、ＡＧＣ用バースト受信時とデータ用バースト受信時で伝送路２の状態変化が小さければ、ＡＧＣアンプ制御電圧（ＲＳＳＩ）Ｓ４１の値は同一の値が使用でき、データ用バースト受信時にはバーストの先頭から適切なレベルでのＡＧＣ出力Ｓ３３を得ることができる。これにより、その後の復調部３５、受信制御部３６ともに適切な動作が可能となり、良好な復調結果として受信データを得ることができる。なお、データバースト受信中にもスイッチ７１をオンにして、ＡＧＣアンプ制御電圧（ＲＳＳＩ）Ｓ４０Ａの値の補正を継続しても良い。
【００３５】
実施の形態３．
図１０との対応部分に同一符号を付した図６は、この発明の実施の形態３である無線通信システムの受信機を示し、この場合アンテナ３１からＡＧＣ部に対応するレベル検出部８０Ａ、８０Ｂまで２系統の受信機で構成されており、それぞれ系統別に「Ａ］、「Ｂ」の英文字を付して対応付けしている。すなわち図において、８０Ａ、８０Ｂは受信電力レベルを測定し受信レベル情報Ｓ８０Ａ、Ｓ８０Ｂを出力するレベル検出部であり、８１は複数のレベル検出部８０Ａ、８０Ｂの受信レベル情報Ｓ８０Ａ、Ｓ８０Ｂから受信状態の最も良いものを選択する判定部８１であり、８２は判定部８１からの制御信号Ｓ８１によって駆動されるスイッチであり、Ｓ８２Ａ、Ｓ８２Ｂはレベル検出部８０Ａ、８０Ｂを通った後の受信信号である。この実施の形態３における無線通信システムの全体及び送信機の構成はそれぞれ図８、図１と同様である。
【００３６】
次にこの実施の形態３の動作を説明する。送信機より送信された電波を、受信側は２箇所のアンテナ３１Ａ、３１Ｂで受信する。受信信号はそれぞれ増幅・周波数変換を受けレベル検出部８０Ａ、８０Ｂに入力される。レベル検出部８０Ａ、８０Ｂは信号Ｓ３２Ａ、Ｓ３２Ｂの電力レベルを検出し、受信レベル情報Ｓ８０Ａ、Ｓ８０Ｂを判定部８１へ送る。レベル検出部８０Ａ、８０Ｂには様々な形態が考えられるが、例えばＡＧＣを利用する場合、ＲＳＳＩ信号が受信レベル情報となる。
【００３７】
判定部８１は２つのレベル検出部８０Ａ、８０Ｂからの受信レベル情報Ｓ８０Ａ、Ｓ８０Ｂを比較し、制御信号Ｓ８１によってスイッチ８２を制御して、どちらのアンテナ３１Ａ、３１Ｂから受信した信号を復調部３５に入力するかを決定する。バーストフォーマットとして図１１に上述したフォーマットを用いる場合、ＡＧＣ用プリアンブル受信中に判定部８１を動作させ、スイッチ８２を確定させれば、データ部分の受信にはより適する受信信号を選択でき、受信性能を向上させることができる。この実施の形態３においても、プリアンブル部分でデータ部分の受信電力強度を予測することが絶対条件となる。
【００３８】
実施の形態４．
図７はこの発明の実施の形態４におけるバーストフォーマットを示したものである。過去に受信したバーストの電力情報を用いて、ＡＧＣのＲＳＳＩを決定するようなシステムでは、ＡＧＣ用パターンはバーストの先頭にある必要はなく、図７に示す様なミッドアンブル、あるいはバースト後方に配置するポストアンブルでも同様の効果を期待することができる。またプリアンブル・ミッドアンブル・ポストアンブルを併用してもかまわない。
【００３９】
実施の形態５．
複数の基地局からの電波を受信する移動局において、通信を行う基地局を決定するために本発明を利用することができる。すなわち、ランダムパターンからなるＡＧＣ用プリアンブルあるいはＡＧＣ用バーストによって、レベル検出を行い、最適な基地局を選択し回線を設定することができる。この選択は特定回線の受信中に行ってもかまわない。
【産業上の利用可能性】
【００４０】
以上のように、本発明にかかるデータ伝送方法、データ伝送システム、送信機及び受信機は、移動体通信／移動体衛星通信に用いられる通信システムに有用である。
【図面の簡単な説明】
【００４１】
【図１】この発明の実施の形態１である無線通信システムの送信機の構成を示すブロック図である。
【図２】送信側で生成する送信用バーストの構成の説明に供する略線図である。
【図３】ＱＰＳＫ変調された２波がランダムな位相差で干渉した場合の受信電力の確率密度分布の説明に供するグラフである。
【図４】この発明の実施の形態２である無線通信システムの送信機のＡＧＣの構成を示すブロック図である。
【図５】この発明の実施の形態２である無線通信システムの受信機のＡＧＣの構成を示すブロック図である。
【図６】この発明の実施の形態３である無線通信システムの受信機の構成を示すブロック図である。
【図７】この発明の実施の形態４におけるバーストフォーマットの説明に供する略線図である。
【図８】この発明の前提として無線通信システムの全体の構成を示すブロック図である。
【図９】図８の無線通信システム内で従来の送信機の構成を示すブロック図である。
【図１０】図８の無線通信システム内で従来の受信機の構成を示すブロック図である。
【図１１】ＡＧＣ用プリアンブルを付加した送信用バーストの構成を示す略線図である。
【図１２】図１１のプリアンブル内の各シンボルの位相状態の説明に供する略線図である。
【図１３】従来のＡＧＣの基本的な構成を示すブロック図である。
【図１４】ＡＧＣの処理手順の説明に供する略線図である。
【図１５】周波数選択性フェージングの発生の説明に供する略線図である。
【図１６】周波数選択性フェージングにおける誤り発生の説明に供する略線図である。
【図１７】周波数選択性フェージングが発生した際の送信信号と受信信号とを示す信号スペクトル分布図である。
【図１８】伝送路で周波数選択性フェージングが発生する場合の先行波と遅延波及びそのときの合成波の位相関係の説明に供する略線図である。
【図１９】同一バースト内で先行波と遅延波が強め合う場合及び打ち消し合う場合の説明に供する略線図である。
【図２０】プリアンブル部分と後続のデータ部分で受信電力に差がある場合の説明に供する略線図である。
【符号の説明】
【００４２】
１  送信機
２  伝送路
３  受信機
１１  バースト生成部
１２  プリアンブル付加部
１３  変調部
１４  アンテナ
３１、３１Ａ、３１Ｂ  アンテナ
３２、３２Ａ、３２Ｂ  ローノイズアンプ
３３、３３Ａ、３３Ｂ  Ｒ／Ｆ・Ｉ／Ｆ部
３４  ＡＧＣ部
３５  復調部
３６  受信制御部
４１  ＡＧＣアンプ
４２  レベル検出部
４３  ローパスフィルタ
５１  プリアンブル付加部
６０  データ用バースト生成部
６１  ランダムパターン生成部
６２  ＡＧＣ用バースト生成部
６３  スイッチ
７０  メモリ
７１  スイッチ
８０  レベル検出部
８１  判定部
８２  スイッチ
【図１】
2005130522.tif 000003
【図２】
2005130522.tif 000004
【図３】
2005130522.tif 000005
【図４】
2005130522.tif 000006
【図５】
2005130522.tif 000007
【図６】
2005130522.tif 000008
【図７】
2005130522.tif 000009
【図８】
2005130522.tif 000010
【図９】
2005130522.tif 000011
【図１０】
2005130522.tif 000012
【図１１】
2005130522.tif 000013
【図１２】
2005130522.tif 000014
【図１３】
2005130522.tif 000015
【図１４】
2005130522.tif 000016
【図１５】
2005130522.tif 000017
【図１６】
2005130522.tif 000018
【図１７】
2005130522.tif 000019
【図１８】
2005130522.tif 000020
【図１９】
2005130522.tif 000021
【図２０】
2005130522.tif 000022